【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
図柄始動口と、該図柄始動口に遊技球が進入したことに起因して当否判定を行う当否判定手段と、該当否判定手段の判定結果を表示する図柄表示装置と、前記当否判定手段の判定結果が当たりであったことを前提条件として遊技者に有利な特別遊技を実行する特別遊技実行手段とを備えるパチンコ遊技機において、
１つの前記図柄表示装置とこれに対応付けられた前記図柄始動口及び前記当否判定手段からなる判定系であって、該判定系に属する前記図柄始動口に遊技球が進入したことに起因する前記当否判定は該判定系に属する前記当否判定手段が行い、該判定結果は該判定系に属する前記図柄表示装置が表示する判定系を複数系統備え、
前記図柄始動口に入球するための該図柄始動口への入球確率を決定する始動口入り口の広さと、前記当否判定手段の判定結果が当たりであったことを前提条件として実行される特別遊技で獲得可能な賞球数とを前記判定系毎に異ならせた
ことを特徴とするパチンコ遊技機。
【請求項２】
請求項１記載のパチンコ遊技機において、
前記当否判定において当たりとなる確率である判定確率とを前記判定系毎に異ならせた
ことを特徴とするパチンコ遊技機。
【請求項３】
請求項１又は２記載のパチンコ遊技機において、
前記複数系統の判定系同士の比較で、前記判定確率が相対的に高いほど前記図柄始動口の入球確率が相対的に低く設定されている
ことを特徴とするパチンコ遊技機。
【請求項４】
請求項１から３のいずれか１項に記載のパチンコ遊技機において、
それぞれの前記図柄始動口に対応して該図柄始動口に遊技球を導くための流球ルートが形成されており、いずれかの前記図柄始動口に対応する前記流球ルートに進入した遊技球は他の前記図柄始動口に対応する前記流球ルートには進入困難なゲージ構成を備えた
ことを特徴とするパチンコ遊技機。
【請求項５】
請求項１から４のいずれか１項に記載のパチンコ遊技機において、
複数の前記判定系によって前記図柄始動口として共用される共用始動口であって、
該共用始動口に遊技球が進入したことに起因して前記複数の判定系から選択される前記判定系の前記当否判定手段が前記当否判定を行い、該当否判定手段が属する前記判定系の前記図柄表示装置が該判定結果を表示する共用始動口
を備え、
前記判定系の選択は前記共用始動口に遊技球が進入したことに起因する抽選によって行われることを特徴とするパチンコ遊技機。
【請求項６】
請求項１から５のいずれか１項に記載のパチンコ遊技機において、
前記特別遊技実行手段は、複数の前記判定系に属する前記当否判定手段の判定結果が共に当たりであったことを前提条件として前記特別遊技を実行することを特徴とするパチンコ遊技機。
【請求項７】
請求項６記載のパチンコ遊技機において、
いずれかの前記判定系に属する前記当否判定手段の判定結果が当たりであったときは設定期間内は該当たりを継続的に有効とし、
該設定期間内に他の前記判定系に属する前記当否判定手段の判定結果が当たりになると前記特別遊技を実行する
ことを特徴とするパチンコ遊技機。
【請求項８】
請求項１から７のいずれか１項に記載のパチンコ遊技機において、
各々の前記判定系の前記判定確率には少なくとも高確率と低確率の２種類の判定確率があり、
前記当否判定手段の判定結果が当たりであると前記判定確率を高確率にするか否かの確変判定を実行する確変判定手段と、
前記確変判定の結果が前記判定確率を高確率にするとの判定であると該確変判定に従って前記判定確率を高確率にする確率変動手段とを備えた
ことを特徴とするパチンコ遊技機。
【請求項９】
請求項８記載のパチンコ遊技機において、
前記確率変動手段は、前記確変判定の結果が前記判定確率を高確率にするとの判定であると、該確変判定のきっかけになった前記当否判定を行った前記当否判定手段が属する前記判定系以外の前記判定確率のいずれかを高確率にすることを特徴とするパチンコ遊技機。
【請求項１０】
請求項９記載のパチンコ遊技機において、
前記判定確率を高確率にされる前記判定系は、該判定系に属する前記図柄始動口や前記図柄表示装置等の遊技装置の位置が、前記確変判定のきっかけになった前記当否判定が行われた前記判定系に属する前記図柄始動口と関連設定位置にある
ことを特徴とするパチンコ遊技機。
【請求項１１】
請求項１から１０のいずれか１項に記載のパチンコ遊技機において、
前記図柄始動口には、該図柄始動口に遊技球が進入したことに起因して実行される前記当否判定の判定結果を表示する前記図柄表示装置を示す案内表示が設けられている
ことを特徴とするパチンコ遊技機。
【手続補正２】
【補正対象書類名】明細書
【補正対象項目名】０００４
【補正方法】変更
【補正の内容】
【０００４】
【課題を解決するための手段および発明の効果】
請求項１記載のパチンコ遊技機は、図柄始動口と、該図柄始動口に遊技球が進入したことに起因して当否判定を行う当否判定手段と、該当否判定手段の判定結果を表示する図柄表示装置と、前記当否判定手段の判定結果が当たりであったことを前提条件として遊技者に有利な特別遊技を実行する特別遊技実行手段とを備えるパチンコ遊技機において、
１つの前記図柄表示装置とこれに対応付けられた前記図柄始動口及び前記当否判定手段からなる判定系であって、該判定系に属する前記図柄始動口に遊技球が進入したことに起因する前記当否判定は該判定系に属する前記当否判定手段が行い、該判定結果は該判定系に属する前記図柄表示装置が表示する判定系を複数系統備え備え、前記図柄始動口に入球するための該図柄始動口への入球確率を決定する始動口入り口の広さと、前記当否判定手段の判定結果が当たりであったことを前提条件として実行される特別遊技で獲得可能な賞球数とを前記判定系毎に異ならせたので、各判定系毎に異なる条件で大当たりを発生させることができる。これにより、１台のパチンコ遊技機が例えば普通機のゲーム性、一発台のゲーム性、デジパチのゲーム性等の複数種類の遊技形態を持つことが可能となり、多様な遊技展開となるので遊技者が飽きるのを防止できる。
【手続補正３】
【補正対象書類名】明細書
【補正対象項目名】０００５
【補正方法】変更
【補正の内容】
【０００５】
しかも、前記図柄始動口に入球するための図柄始動口への入球確率を決定する始動口入り口の広さと、前記当否判定手段の判定結果が当たりであったことを前提条件として実行される特別遊技で獲得可能な賞球数とを判定系毎に異ならせたので、各判定系の図柄始動口の価値が異なってくる。
大当たりで獲得できる賞球数を判定確率に応じて異ならせる場合、判定確率が高いほど大当たりで獲得できる賞球数を少なくするとよい。すなわち、前記複数系統の判定系同士の比較で、前記判定確率が相対的に高いほど、その判定系の前記当否判定手段の判定結果が当たりであったことを前提条件として実行される特別遊技で獲得可能な賞球数が相対的に少なく設定されている構成にすればよい。そうすれば、遊技者は自分の好みの判定系を狙う（複数種類の遊技形態のいずれかを積極的に選択する）から興趣が高まる。
しかも、前記図柄始動口に入球するための図柄始動口への入球確率を決定する始動口入り口の広さと、前記当否判定において当たりとなる確率である判定確率とを前記判定系毎に異ならせているので、各回の前記当否判定において当たりとなる確率である判定確率は、前記判定系毎に異なるので、各判定系の図柄始動口の価値が異なってくる。
【手続補正４】
【補正対象書類名】明細書
【補正対象項目名】０００６
【補正方法】変更
【補正の内容】
【０００６】
また、請求項２記載のように、前記当否判定において当たりとなる確率である判定確率とを前記判定系毎に異ならせるのも効果的である。この場合、各判定系の図柄始動口への入球確率（進入し易さ）が同等で、しかも大当たりで獲得できる賞球数が同等であるなら、つまりどの判定系でも遊技者にとってのメリットが同等なら、遊技者は判定確率が高い（相対的に大当たりし易い）判定系の図柄始動口を狙うに決まっているので、判定確率を判定系毎に異ならせる意味がなくなる。
【手続補正５】
【補正対象書類名】明細書
【補正対象項目名】０００７
【補正方法】変更
【補正の内容】
【０００７】
したがって、各判定系の図柄始動口への入球確率を決定する始動口入り口の広さを異ならせて、判定確率が高いほど入球しにくくするのが望ましい。すなわち、請求項３記載のように、前記複数系統の判定系同士の比較で、前記判定確率が相対的に高いほど前記図柄始動口の入球確率が相対的に低く設定されているのが望ましい。
【手続補正６】
【補正対象書類名】明細書
【補正対象項目名】０００９
【補正方法】変更
【補正の内容】
【０００９】
請求項４記載のパチンコ遊技機は、請求項１、２又は３記載のパチンコ遊技機において、それぞれの前記図柄始動口に対応して該図柄始動口に遊技球を導くための流球ルートが形成されており、いずれかの前記図柄始動口に対応する前記流球ルートに進入した遊技球は他の前記図柄始動口に対応する前記流球ルートには進入困難なゲージ構成を備えたので、同時に複数の判定系の図柄始動口を狙うことが難しくなる。つまり、１つの判定系による遊技が主流となるので、請求項１、２又は３の効果が高まる。
【手続補正７】
【補正対象書類名】明細書
【補正対象項目名】００１０
【補正方法】変更
【補正の内容】
【００１０】
請求項５記載のパチンコ遊技機は、請求項１から４のいずれか１項に記載のパチンコ遊技機において、複数の前記判定系によって前記図柄始動口として共用される共用始動口であって、該共用始動口に遊技球が進入したことに起因して前記複数の判定系から選択される前記判定系の前記当否判定手段が前記当否判定を行い、該当否判定手段が属する前記判定系の前記図柄表示装置が該判定結果を表示する共用始動口を備え、前記判定系の選択は前記共用始動口に遊技球が進入したことに起因する抽選によって行われる構成としたので、遊技者が自分の好みの判定系による遊技を狙っていても、他の判定系による遊技となる面白さがある。この面白さは、請求項１又は４のパチンコ遊技機の場合に顕著になる。
【手続補正８】
【補正対象書類名】明細書
【補正対象項目名】００１１
【補正方法】変更
【補正の内容】
【００１１】
また、前記判定系の選択は前記共用始動口に遊技球が進入したことに起因する抽選によって行われるから、このパチンコ遊技機では、共用始動口に遊技球が進入したことに起因して抽選が行われて、それによって当否判定を行う判定系が選択されるのでので、どの判定系になるかを予想できない。これにより上記の効果が高まる。
【手続補正９】
【補正対象書類名】明細書
【補正対象項目名】００５１
【補正方法】変更
【補正の内容】
【００５１】
図柄始動口２２、３２、４２及び共用始動口５０には、そこへの入賞に起因して実行される当否判定の判定結果を表示する図柄表示装置２０、３０、４０を示す案内表示が設けられているので、図柄始動口２２、３２、４２及び共用始動口５０と図柄表示装置２０、３０、４０との対応が明瞭になる。なお、共用始動口５０の案内表示を例えば内蔵のＬＥＤの点灯で目立たせる可変表示にして、その都度、対応する図柄表示装置２０、３０、４０を示すようにすれば、図柄表示装置２０、３０、４０との対応をより明瞭にできる。